Podtech/llm-jp-corpus-v4-ja_patent huggingface dataset:
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
式ＩＩＩで表される化合物。
【化１】
2020519568.tif 000001
（式中、ＥとＺは、Ｃ、Ｏ、Ｎ、Ｓ、並びにＮ．ＨＣｌであるＮの塩から選択され、
ＱはＯ、Ｓ、−ＣＨ２Ｏ−、または−ＮＹ’であり、Ｙ’は−Ｈ、アルキル、ＳＯＯＣＨ３から選択され、
Ｅ及び／又はＺが−Ｃの場合、Ｒ５は−Ｈまたは−Ｃｌであり、
Ｒ６とＲ７は、各々独立して、−Ｈ、アルコキシ、アルキル、置換又は非置換芳香族基、−ＮＨ２、−ＮＯ２、−ＮＨＣＯＣＨ３、−ＣＮ、−Ｏ−、ハロゲン、−ＯＣＦ３から選択されるか、又はＲ６とＲ７が一緒になって複素環を形成し、
Ｅ及び／又はＺが−Ｃの場合、Ｒ８は−Ｈまたは−Ｃｌであり、
Ｒ９は−ＣＨ２−Ｏ−ＣＨ２、−ＣＯＯＨまたは−Ｘであり、ＸはＦ、Ｃｌ、Ｂｒ、−ＣＨ３であるアルキル、−ＯＨ、−ＯＭｅであるアルコキシ、ＮＨＣＯＣＨ３、Ｈ、ＮＨ２とすることができ、
Ｒ１１とＲ１２は、各々独立して、−Ｈから選択されるか、又はＲ１１とＲ１２とが一緒になってラクトン類および−Ｃ（Ｏ）ＯＣ２Ｈ５である−Ｃ（Ｏ）Ｏ−アルキルから選択される置換又は非置換の５員環又は６員環を形成し、
Ｒは、下記から選択され：
【化２】
2020519568.tif 000002
−Ｈ、−Ｃ（Ｏ）ＣＨ２Ｃｌ、−ＳＯＯ−ＣＨ３、−ＳＯＯＰｈ、−ＣＨ２Ｃ（Ｏ）Ｎ（ＣＨ３）２、−Ｃ（Ｏ）ＮＨＰｈ、−Ｃ（Ｏ）ＮＨＰｈＯＨ、−Ｃ（Ｓ）ＮＨＰｈ、−ＣＨ２Ｐｈ、−ＣＯＡｒ、−ＳＯＯＡｒ、−ＣＯＮＨＡｒ、−ＣＨ２Ａｒ、−ＣＳＮＨＡｒ、
Ｒ１３は−ＯＨ、−ＮＨ２、−ＮＨＣＯＣＨ３、Ｘ＝Ｆ、Ｃｌ、Ｂｒ、アルキル、アセチル、Ｃ３−Ｃ８アシル基から選択され、
Ｒ１４はアルコキシ、−ＯＭｅ、−ＯＨ、ＮＨ２、−ＮＨＣＯＣＨ３、Ｘ＝Ｆ、Ｃｌ、Ｂｒ、アルキル、アセチル、Ｃ３−Ｃ８アシル基から選択され、
Ｒ１５はアルコキシ、−ＯＭｅ、−ＯＨ、−Ｈ、Ｂｒ、ＮＨ２、Ｘ＝Ｆ、Ｃｌ、Ｂｒ、アルキル、アセチル、Ｃ３−Ｃ８アシル基から選択され、
Ｒ１６は−Ｈ、−ＣＨ２ＯＨ、−ＯＨ、アルキル、アルコキシから選択され、
Ｒ１７はアルキルから選択される。）
【請求項２】
式ＩＶで表される化合物。
【化３】
2020519568.tif 000003
（式中、Ｒ６とＲ７は、各々独立して、−Ｈ、アルコキシ、アルキル、置換又は非置換芳香族基、−ＮＨ２、−ＮＯ２、−ＮＨＣＯＣＨ３、−ＣＮ、−Ｏ−、ハロゲン、−ＯＣＦ３から選択されるか、又はＲ６とＲ７が一緒になって複素環を形成し、
Ｒ１１とＲ１２は、各々独立して、−Ｈから選択されるか、又はＲ１１とＲ１２とが一緒になってラクトン類および−Ｃ（Ｏ）ＯＣ２Ｈ５である−Ｃ（Ｏ）Ｏ−アルキルから選択される置換又は非置換の５員環又は６員環を形成し、
Ｒは、下記から選択され：
【化４】
2020519568.tif 000004
−Ｈ、−Ｃ（Ｏ）ＣＨ２Ｃｌ、−ＳＯＯ−ＣＨ３、−ＳＯＯＰｈ、−ＣＨ２Ｃ（Ｏ）Ｎ（ＣＨ３）２、−Ｃ（Ｏ）ＮＨＰｈ、−Ｃ（Ｏ）ＮＨＰｈＯＨ、−Ｃ（Ｓ）ＮＨＰｈ、−ＣＨ２Ｐｈ、−ＣＯＡｒ、−ＳＯＯＡｒ、−ＣＯＮＨＡｒ、−ＣＨ２Ａｒ、−ＣＳＮＨＡｒ、
Ｒ１３は−ＯＨ、−ＮＨ２、−ＮＨＣＯＣＨ３、Ｘ＝Ｆ、Ｃｌ、Ｂｒ、アルキル、アセチル、Ｃ３−Ｃ８アシル基から選択され、
Ｒ１４はアルコキシ、−ＯＭｅ、−ＯＨ、ＮＨ２、−ＮＨＣＯＣＨ３、Ｘ＝Ｆ、Ｃｌ、Ｂｒ、アルキル、アセチル、Ｃ３−Ｃ８アシル基から選択され、
Ｒ１５はアルコキシ、−ＯＭｅ、−ＯＨ、−Ｈ、Ｂｒ、ＮＨ２、Ｘ＝Ｆ、Ｃｌ、Ｂｒ、アルキル、アセチル、Ｃ３−Ｃ８アシル基から選択され、
Ｒ１６は−Ｈ、−ＣＨ２ＯＨ、−ＯＨ、アルキル、アルコキシから選択され、
Ｒ１７はアルキルから選択される。）
【請求項３】
式Ｖで表される化合物である、請求項２に記載の化合物。
【化５】
2020519568.tif 000005
【請求項４】
式ＶＩで表される化合物である、請求項２に記載の化合物。
【化６】
2020519568.tif 000006
【請求項５】
式ＶＩＩで表される化合物である、請求項２に記載の化合物。
【化７】
2020519568.tif 000007
【請求項６】
式ＶＩＩＩで表される化合物である、請求項２に記載の化合物。
【化８】
2020519568.tif 000008
【請求項７】
式ＩＸで表される化合物である、請求項２に記載の化合物。
【化９】
2020519568.tif 000009
【請求項８】
式Ｘで表される化合物である、請求項２に記載の化合物。
【化１０】
2020519568.tif 000010
【請求項９】
式ＸＩで表される化合物である、請求項２に記載の化合物。
【化１１】
2020519568.tif 000011
【請求項１０】
式ＸＩＩで表される化合物である、請求項２に記載の化合物。
【化１２】
2020519568.tif 000012
【請求項１１】
式ＸＩＩＩで表される化合物である、請求項２に記載の化合物。
【化１３】
2020519568.tif 000013
【請求項１２】
式ＸＩＶで表される化合物である、請求項１に記載の化合物。
【化１４】
2020519568.tif 000014
【請求項１３】
癌の治療用である、式Ｖ〜ＸＩＶで表される化合物。
【請求項１４】
癌の治療用である、式Ｖ又はＶＩで表される化合物。
【請求項１５】
前記癌は、乳癌、口腔癌、前立腺癌、脳癌、血液癌、骨髄癌、肝臓癌、膵臓癌、皮膚癌、腎臓癌、結腸癌、卵巣癌、肺癌、精巣癌、陰茎癌、甲状腺癌、副甲状腺癌、下垂体癌、胸腺癌、網膜癌、ブドウ膜癌、結膜癌、脾臓癌、頭部癌、頸部癌、気管癌、胆嚢癌、直腸癌、唾液腺癌、副腎癌、咽頭癌、食道癌、リンパ節癌、汗腺癌、皮脂腺癌、筋肉癌、心臓癌及び胃癌である、請求項１３に記載の癌の治療用の式Ｖ〜ＸＩＶで表される化合物。
【請求項１６】
前記癌は、乳癌、または前立腺癌である、請求項１５に記載の癌の治療用である式Ｖ又はＶＩで表される化合物。
【請求項１７】
式Ｖ〜式ＸＩＶで表される化合物と、担体、アジュバント、媒体又はそれらの混合物等の薬学的に許容し得る賦形剤とを含む医薬組成物。
【請求項１８】
乳癌、口腔癌、前立腺癌、脳癌、血液癌、骨髄癌、肝臓癌、膵臓癌、皮膚癌、腎臓癌、結腸癌、卵巣癌、肺癌、精巣癌、陰茎癌、甲状腺癌、副甲状腺癌、下垂体癌、胸腺癌、網膜癌、ブドウ膜癌、結膜癌、脾臓癌、頭部癌、頸部癌、気管癌、胆嚢癌、直腸癌、唾液腺癌、副腎癌、咽頭癌、食道癌、リンパ節癌、汗腺癌、皮脂腺癌、筋肉癌、心臓癌及び胃癌等の癌の治療用である請求項１７に記載の医薬組成物。
【請求項１９】
前記癌は乳癌、前立腺癌である、請求項１７〜１８に記載の医薬組成物。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
拘束装置及びロック機構を含む乗客拘束システムと、
複数の光源を含む照明システムと、
を備えるシステムであって、
前記複数の光源の少なくとも一部は、前記拘束装置と一体化され、前記照明システムは、
前記ロック機構の構成の指示を受け取り、
前記指示がロック解除構成である場合、前記複数の光源によって第１の点灯方式を実行し、
前記指示がロック構成である場合、前記複数の光源によって第２の点灯方式を実行する、
ように構成される、システム。
【請求項２】
前記乗客拘束システムは、前記拘束装置が係合位置にある場合に前記ロック構成を示す信号を検出するように構成された近接センサーを備える、請求項１に記載のシステム。
【請求項３】
前記近接センサーは、前記拘束装置又は前記ロック機構と一体であり、感知構成要素と相互作用するように構成される、請求項２に記載のシステム。
【請求項４】
前記照明システムは、前記複数の光源から放射された光を遮断又は透過するように作動されるように構成されたスクリーンを備える、請求項１に記載のシステム。
【請求項５】
センサーデータを処理して、前記ロック機構の前記構成の前記指示を判定して前記指示を前記照明システムに伝えるように構成された制御装置を備える、請求項１に記載のシステム。
【請求項６】
前記第１の点灯方式は、前記複数の光源から光を放射することを含み、前記第２の点灯方式は、前記複数の光源から光を放射しないことを含む、請求項１に記載のシステム。
【請求項７】
前記乗客拘束システムの前記拘束装置は、乗物乗客の頭部上に適合するように軸の周りで旋回するように構成された頭上拘束機構を含み、前記複数の光源は、前記頭上拘束機構内に埋め込まれる、請求項１に記載のシステム。
【請求項８】
前記システムは、感知構成要素を含む近接センサーセットを備え、前記感知構成要素は、前記前記近接センサーセットの近接センサーによって検出された信号を放射するように構成され、前記信号は、前記感知構成要素と前記近接センサーとが相互に離間して閾値距離を下回る場合に前記ロック機構を作動させて前記ロック構成にするために、制御装置に伝達される、請求項１に記載のシステム。
【請求項９】
前記ロック機構は、前記ロック機構が前記ロック構成である場合に、前記拘束装置が前記ロック機構の周りで回転するのを防止するように構成されるか又は前記拘束装置が前記ロック機構に対して並進するのうを防止するように構成される、請求項１に記載のシステム。
【請求項１０】
前記照明システムは、前記拘束装置が前記ロック機構の周りで回転するか又は前記ロック機構に対して並進するのを前記ロック機構が防止することに基づいて、前記複数の光源からの光の放射を制御するように構成される、請求項９に記載のシステム。
【請求項１１】
乗物車両の拘束システムからロック指示を受け取るステップであって、前記乗物車両は、乗物システム内で作動するように構成される、ステップと、
前記ロック指示に基づいて前記拘束システムがロック構成であるか又はロック解除構成であるかを判定するステップと、
前記拘束システムが前記ロック解除構成であるとの判定に応答して、前記拘束システムの拘束装置と一体になった複数の発光体によって第１の点灯方式を実行するステップと、
前記拘束システムが前記ロック構成であるとの判定に応答して、前記拘束システムの拘束装置と一体になった前記複数の発光体によって第２の点灯方式を実行するステップと、
を含む、方法。
【請求項１２】
前記ロック指示を受け取るステップは、前記拘束システムの回転を防止するために歯車止めが前記拘束システムの歯車と係合するか否かを示すデータを受け取るステップを含む、請求項１１に記載の方法。
【請求項１３】
前記第１の点灯方式を実行するステップは、所定の光の放射パターンを放射するステップを含む、請求項１１に記載の方法。
【請求項１４】
前記第２の点灯方式を実行するステップは、前記第１の点灯方式の第１の光色とは異なる第２の光色を連続的に放射するステップを含む、請求項１１に記載の方法。
【請求項１５】
前記乗物システムを作動させる前に前記拘束システムをロックするステップと、
前記乗物車両から乗客が離脱する前に前記拘束システムをロック解除するステップと、をさらに含む、請求項１１に記載の方法。
【請求項１６】
ロック機構及び拘束装置を含む拘束システムと、
前記拘束システムの前記拘束装置と一体になった複数の光源を含む照明システムと、
制御装置と、
を備える制御システムであって、前記制御装置は、
１又は２以上のプロセッサと、
命令を格納するメモリデバイスと、
を備え、
前記１又は２以上のプロセッサによって実行された場合の前記命令は、前記１又は２以上のプロセッサに、
前記拘束システムのロック構成のロック指示を受け取り、
前記拘束システムが前記受け取ったロック指示に基づいてロック解除構成であると判定することに応答して、前記照明システムに、複数の光源によって第１の点灯方式を実行するように指示し、
前記拘束システムが前記受け取ったロック表示に基づいてロック構成であると判定することに応答して、記照明システムに、前記複数の光源によって第２の点灯方式を実行するように指示するように構成される、制御システム。
【請求項１７】
前記拘束システムは、前記ロック構成を示す第１のデータセットの前記制御装置への無線通信を可能にするように構成された第１の送受信機を含む、請求項１６に記載の制御システム。
【請求項１８】
前記照明システムは、実行された点灯方式を示す第２のデータセットの無線通信を可能にするように構成された第２の送受信機を含む、請求項１６に記載の制御システム。
【請求項１９】
前記第１の点灯方式は、光の放射を遮断することを含む、請求項１６に記載の制御システム。
【請求項２０】
前記照明システムは、前記複数の光源から放射された光が前記拘束システムから視認可能であることを可能にするために開放するように構成されたスクリーンを含む、請求項１６に記載の制御システム。
【請求項２１】
前記第２の点灯方式を実行することは、前記第２の点灯方式を前記ロック機構が前記ロック構成に係合することを示す音と連係させることを含む、請求項１に記載のシステム。
【請求項２２】
前記第２の点灯方式を音と連係させることは、音楽のリズムに前記複数の光源のうちの一つの光源を点滅させることを含む、請求項２１に記載のシステム。
【請求項２３】
前記第２の点灯方式は前記システムのエンターテインメントテーマに適した光放射を備える、請求項１に記載のシステム。
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
底部支持体と、
前記底部支持体から伸び、ファンフォールドストック材料を横方向に保持するとともに、前記ファンフォールドストック材料の供給を保持する貯蔵量を規定する、対向する垂直側部支持体と、
第１の偏った支持体であって、前記対向する垂直側部支持体の少なくとも１つに接続され、前記対向する垂直側部支持体に対して開位置から閉位置まで移動可能であって、前記閉位置において前記対向する垂直側部支持体の間の開口部を少なくとも部分的に遮断し、前記開位置では前記ファンフォールドストック材料をロードするために前記対向する垂直側部支持体の間の前記開口部を十分に開いたままにする、第１の偏った支持体と、を含み、
前記第１の偏った支持体は、前記閉位置に向かって偏る、
ファンフォールドストック材料供給カート。
【請求項２】
前記第１の偏った支持体は、実質的に前記開口部の底まで延びている、
請求項１に記載のファンフォールドストック材料供給カート。
【請求項３】
前記第１の偏った支持体は、前記閉位置において、前記開口部の幅の半分以下を塞ぐように構成されている、
請求項１に記載のファンフォールドストック材料供給カート。
【請求項４】
前記第１の偏った支持体は、トラックまたはフォロワの少なくとも１つを含む、
請求項１に記載のファンフォールドストック材料供給カート。
【請求項５】
前記第１の偏った支持体は、前記開位置から前記閉位置まで、前記偏った支持体を前記開位置および前記閉位置で偏らせるように構成されたトラックによって規定される非線形経路で移動する、
請求項１に記載のファンフォールドストック材料供給カート。
【請求項６】
前記第１の偏った支持体は、前記第１の偏った支持体が、前記閉位置から移動するために、前記開位置から移動するよりも大きな力を必要とするように偏る、
請求項１に記載のファンフォールドストック材料供給カート。
【請求項７】
前記閉位置および前記開位置における偏りは、前記偏った支持体が第１の位置から第２の位置に移動する際に、前記偏った支持体が上昇し、その後低下するように重力によって引き起こされる、
請求項６に記載のファンフォールドストック材料供給カート。
【請求項８】
前記第１の偏った支持体と同じ平面内で動く第２の偏った支持体をさらに備え、
前記第１の偏った支持体は、前記ファンフォールドストック材料の第１の横方向の端部を保持し、前記第２の偏った支持体は、前記ファンフォールドストック材料の第２の横方向の端部を保持する、
請求項１に記載のファンフォールドストック材料供給カート。
【請求項９】
前記第１の偏った支持体と前記第２の偏った支持体は、前記第１の偏った支持体と前記第２の偏った支持体の間に、ユーザがストック材料にアクセスしてデイジーチェーン接続できるようにするのに適したサイズとして適した隙間を有する、
請求項８に記載のファンフォールドストック材料供給カート。
【請求項１０】
ダンネージ装置であって、
ストック材料を低密度のダンネージに変換するように構成されたダンネージ機、および
前記ダンネージ機を床面上に支持する機械支持体を含む、ダンネージ装置と、
ストック材料供給カートであって
ストック材料を保持するように構成されたストック材料支持体、 
床の上で前記ストック材料支持体を支持するカートベースであって、前記カートベースが床に対して相対的に移動できるように構成された低摩擦装置を含むカートベース、を含むストック材料供給カートと、
前記ストック材料供給カートおよび前記ダンネージ装置が互いに相対的に移動されることに応答して、動作位置に前記ストック材料供給カートを前記ダンネージ装置に対して配置するために、前記ダンネージ装置および前記ストック材料供給カートの他方の前記機械支持体または前記カートベースと相互作用するように選択された高さに配置された前記ダンネージ装置および前記ストック材料供給カートの一方から垂れ下がる２つの収束ドッキング部材を含むアライメント装置であって、前記動作位置において、前記ストック材料支持体は、前記ストック材料を前記ダンネージに変換するための前記ダンネージ機に供給することができる位置に前記ストック材料を保持する、アライメント装置と、を含む、
ダンネージシステム。
【請求項１１】
前記ダンネージ機は、スタンドであって、前記スタンドが地面に対して相対的に移動できるように構成された低摩擦装置を備えたスタンドベースを有するスタンドを含む、
請求項１０に記載のダンネージシステム。
【請求項１２】
前記収束ドッキング部材が、前記ダンネージ装置および前記ストック材料供給カートの他方の一部を受け入れて、前記ダンネージ装置および前記ストック材料供給カートを前記動作位置に配置する漏斗として構成されている、
請求項１０に記載のダンネージシステム。
【請求項１３】
前記収束ドッキング部材は、前記ダンネージ装置および前記ストック材料供給カートの他方の２つの部分の間に受容可能なくさびとして構成され、前記ダンネージ装置および前記ストック材料供給カートを動作位置に配置する、
請求項１０に記載のダンネージシステム。
【請求項１４】
アライメント装置は、前記ストック材料供給カートの底面近くの高さに配置されている、
請求項１０に記載のダンネージシステム。
【請求項１５】
前記ストック材料支持体は、連続的な材料の供給として一緒にデイジーチェーン接続され、前記ダンネージに変換するための前記ダンネージ機に供給されるように配置される複数のストック材料ユニットを保持するように構成されたマガジンを有する、
請求項１０に記載のダンネージシステム。
【請求項１６】
底部支持体と、
前記底部支持体から伸び、ファンフォールドストック材料を横方向に保持するとともに、前記ファンフォールドストック材料の供給を保持する貯蔵量を規定する、対向する垂直側部支持体と、
第１の偏った支持体であって、前記対向する垂直側部支持体の少なくとも１つに接続され、前記対向する垂直側部支持体に対して開位置から閉位置まで移動可能であって、前記閉位置において前記対向する垂直側部支持体の間の開口部を少なくとも部分的に遮断し、前記開位置では前記ファンフォールドストック材料をロードするために前記対向する垂直側部支持体の間の前記開口部を十分に開いたままにする、第１の偏った支持体と、を含み、
前記第１の偏った支持体は、前記閉位置および前記開位置のそれぞれに向かってバイアスされ、前記第１の偏った支持体が前記閉位置または前記開位置に選択的に保持される、
請求項１０に記載のダンネージシステム。
【手続補正２】
【補正対象書類名】明細書
【補正対象項目名】発明の名称
【補正方法】変更
【補正の内容】
【発明の名称】ファンフォールドストック材料供給カートおよびダンネージシステム
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
多結晶ジルコニアと、第１の多結晶希土類アルミン酸塩と、第２の異なる多結晶希土類アルミン酸塩と、理論上の酸化物ベースで、ＳｉＯ２、Ａｌ２Ｏ３、及び希土類酸化物を含む非晶質相と、を含むセラミックであって、前記多結晶ジルコニア並びに前記第１及び第２の多結晶希土類アルミン酸塩は、粒界を有する結晶を含み、前記第１の結晶質希土類アルミン酸塩の結晶は針状であり、前記非晶質相は粒界に存在する、セラミック。
【請求項２】
前記セラミックが、三次元セラミック物品の形態であり、前記物品が、１ｍｍの曲げ半径を有する部分を少なくとも１つ有し、前記物品が、少なくとも０．３ｍｍの厚さを有する、請求項１に記載のセラミック。
【請求項３】
前記第１の希土類アルミン酸塩が、ＬａＡｌＯ３、ＣｅＡｌＯ３、Ｅｒ３Ａｌ５Ｏ１２、ＧｄＡｌＯ３、又はＤｙ３Ａｌ５Ｏ１２のうちの少なくとも１種であり、前記第２の希土類アルミン酸塩が、ＬａＡｌ１１Ｏ１８又はＣｅＡｌ１１Ｏ１８のうちの少なくとも１種である、請求項１又は２に記載のセラミック。
【請求項４】
流動特性試験に合格する、請求項１〜３のいずれか一項に記載のセラミック。
【請求項５】
前記物品が電子機器筐体である、請求項１〜４のいずれか一項に記載のセラミック。
【請求項６】
請求項１〜５のいずれか一項に記載のセラミック物品を形成する方法であって、
ある体積及び第１の形状を有し、多結晶ジルコニアと、第１の多結晶希土類アルミン酸塩と、第２の異なる多結晶希土類アルミン酸塩と、理論上の酸化物ベースで、ＳｉＯ２、Ａｌ２Ｏ３、及び希土類酸化物を含む非晶質相とを含む、セラミックプリフォームを準備することと、
主表面を準備することと、
前記プリフォームの少なくとも一部分を前記主表面と接触させて配置することと、
前記プリフォームを、第２の異なる形状を有する前記物品を形成するのに十分な温度及び十分な圧力で加熱することと、
を含む方法。
【請求項７】
多結晶ジルコニアと、多結晶アルミナと、多結晶イットリウムアルミン酸塩と、理論上の酸化物ベースで、ＳｉＯ２、Ａｌ２Ｏ３、及び酸化イットリウムを含む非晶質相と、を含むセラミックであって、前記多結晶ジルコニア、前記多結晶アルミナ、及び前記多結晶イットリウムアルミン酸塩は、粒界を有する結晶を含み、前記非晶質相は粒界に存在する、セラミック。
【請求項８】
前記セラミックが、三次元セラミック物品の形態であり、前記物品が、１ｍｍの曲げ半径を有する部分を少なくとも１つ有し、前記物品が、少なくとも０．３ｍｍの厚さを有する、請求項７に記載のセラミック。
【請求項９】
流動特性試験に合格する、請求項７又は８に記載のセラミック。
【請求項１０】
前記物品が電子機器筐体である、請求項７〜９のいずれか一項に記載のセラミック。
【請求項１１】
請求項７〜１０のいずれか一項に記載のセラミック物品を形成する方法であって、
ある体積及び第１の形状を有し、多結晶ジルコニアと、多結晶アルミナと、多結晶イットリウムアルミン酸塩と、理論上の酸化物ベースで、ＳｉＯ２、Ａｌ２Ｏ３、及び酸化イットリウムを含む非晶質相とを含む、セラミックプリフォームを準備することと、
主表面を準備することと、
前記プリフォームの少なくとも一部分を前記主表面と接触させて配置することと、
前記プリフォームを、第２の異なる形状を有する前記物品を形成するのに十分な温度及び十分な圧力で加熱することと、
を含む方法。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
３Ｄ印刷によって反射器を製造する方法であって、前記方法は、３Ｄ印刷可能材料のフィラメントを提供するステップと、印刷段階の間に前記３Ｄ印刷可能材料を印刷して、３Ｄ印刷された材料を含む反射器を提供するステップとを含み、前記３Ｄ印刷可能材料が粒子を更に含み、前記粒子がガラス及び雲母のうちの１つ以上を含み、前記粒子がコーティングを有し、前記コーティングが金属コーティング及び金属酸化物コーティングのうちの１つ以上を含み、前記粒子が、１０μｍ〜２ｍｍの範囲から選択される最長寸法長を有する最長寸法を有し、前記粒子が、少なくとも１０のアスペクト比を有し、前記コーティングが光反射材料を含み、前記３Ｄ印刷可能材料が、光に対して透明なポリマー材料を含む、方法。
【請求項２】
前記粒子がフレーク状であり、２０μｍ〜１ｍｍの範囲から選択される最長寸法長、及び少なくとも２０のアスペクト比を有する、請求項１に記載の方法。
【請求項３】
前記粒子が、雲母フレーク及びガラスフレークのうちの１つ以上を含む、請求項１又は２に記載の方法。
【請求項４】
前記３Ｄ印刷可能材料が、前記３Ｄ印刷可能材料の総重量に対して、最大４０重量％の前記粒子を含む、請求項１乃至３の何れか一項に記載の方法。
【請求項５】
前記３Ｄ印刷可能材料が、前記３Ｄ印刷可能材料の総重量に対して、１〜５重量％の範囲の前記粒子を含む、請求項１乃至４の何れか一項に記載の方法。
【請求項６】
前記３Ｄ印刷可能材料が、ポリスチレン、ポリカーボネート、ポリエチレンテレフタレート、ポリメチルメタクリレート、及びこれらのうちの２つ以上のコポリマー、のうちの１つ以上を含む、請求項１乃至５の何れか一項に記載の方法。
【請求項７】
前記粒子が、銀又はアルミニウムでコーティングされた雲母又はガラスの粒子を含む、請求項１乃至６の何れか一項に記載の方法。
【請求項８】
前記方法が、前記印刷段階の間に、前記３Ｄ印刷可能材料を基材上に印刷するステップを含み、前記基材は、湾曲面、ファセット面、及び互いに対して角度をなすように構成された面、のうちの１つ以上を有する反射器の形状を有する、請求項１乃至７の何れか一項に記載の方法。
【請求項９】
請求項１乃至８の何れか一項に記載の方法によって得ることができる３Ｄ印刷された反射器であって、前記３Ｄ印刷された反射器３Ｄ印刷された材料を含み、前記３Ｄ印刷された材料が、粒子を含む熱可塑性材料を含み、前記粒子がガラス及び雲母のうちの１つ以上を含み、前記粒子がコーティングを有し、前記コーティングが金属コーティング及び金属酸化物コーティングのうちの１つ以上を含み、前記粒子が、１０μｍ〜２ｍｍの範囲から選択される最長寸法長を有する最長寸法を有し、前記粒子が、少なくとも１０のアスペクト比を有する、３Ｄ印刷された反射器。
【請求項１０】
前記粒子が、２０μｍ〜１ｍｍの範囲から選択される最長寸法長及び少なくとも２０のアスペクト比を有し、前記３Ｄ印刷可能材料が、前記３Ｄ印刷可能材料の総重量に対して、最大４０重量％の前記粒子を含む、請求項９に記載の３Ｄ印刷された反射器。
【請求項１１】
前記３Ｄ印刷可能材料が、前記３Ｄ印刷可能材料の総重量に対して、１〜５重量％の範囲の前記粒子を含み、前記３Ｄ印刷可能材料が、ポリスチレン、ポリカーボネート、ポリエチレンテレフタレート、ポリメチルメタクリレート、及びこれらのうちの２つ以上のコポリマー、のうちの１つ以上を含む、請求項９又は１０に記載の３Ｄ印刷された反射器。
【請求項１２】
前記粒子が、コーティングされた雲母フレーク又はコーティングされたガラスフレークのうちの１つ以上を含む、請求項９乃至１１の何れか一項に記載の３Ｄ印刷された反射器。
【請求項１３】
鏡面反射面を備える反射器であって、前記反射器が、請求項９乃至１２の何れか一項に記載の３Ｄ印刷された反射器を備え、前記反射面の少なくとも一部が、前記３Ｄ印刷された反射器によって提供される、反射器。
【請求項１４】
光源光を生成するように構成された光源と、前記光源光の少なくとも一部を反射するように構成された請求項１３に記載の反射器と、を備える、照明システム。
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
ダンネージ変換機のためのストック材料ユニットであって、
ストック材料シートで形成された三次元体と、
前記三次元体の周りに閉じたループ状に巻き付けられたストラップと、を有し、
前記ストラップは、
前記三次元体への損傷を防止又は低減するために、前記三次元体の重量を広げるのに十分な第１の横方向の幅を有する負荷拡散部と、
前記第１の幅よりも小さい第２の横方向の幅を有し、ユーザの手で把持可能なサイズのハンドル部と、を有し、
前記負荷拡散部及び前記ハンドル部は、前記ハンドル部で前記三次元体を持ち上げることができるように、協働的に構成されている、ストック材料ユニット。
【請求項２】
前記ストラップ上に貼り付けられ、前記ユーザによる把持によって前記三次元体を持ち上げることができるように前記ストラップを補強する材料から形成された補強部材をさらに含み、
前記補強部材は、第２の幅を有し、
前記ストラップは、前記補強部材によって前記三次元体への損傷を防止又は低減するように構成されている、請求項１に記載のストック材料ユニット。
【請求項３】
前記ストック材料シートは、互いに重なった対向面を画定する複数の折り目を含むファンフォールドスタック（fanfold stack）を形成するように折り畳まれた連続シートを含む、請求項１に記載のストック材料ユニット。
【請求項４】
前記第２の幅は、前記第１の横方向の幅よりも少なくとも５０％小さい、請求項１に記載のストック材料ユニット。
【請求項５】
前記ハンドル部は、前記三次元体の周囲面を横切って広がる、請求項１に記載のストック材料ユニット。
【請求項６】
前記ストック材料シートは、前記三次元体の周囲面を画定し、
前記ストラップは、前記ファンフォールドスタックの４つの前記周囲面に接する、請求項１に記載のストック材料ユニット。
【請求項７】
前記ストラップの第１端は、反対側の、前記ダンネージを前記ストック材料ユニットの構成に保持するために前記ストラップが前記三次元体の重量を支えるのに十分な強度を備えた前記ストラップの第２端に固定されている、請求項１に記載のストック材料ユニット。
【請求項８】
前記ストラップは、第１の位置における第１ストラップと、前記三次元体の重心の反対側の第２の位置における第２ストラップとを含む、請求項１に記載のストック材料ユニット。
【請求項９】
前記ストック材料シートは、前記ストラップから露出された前記三次元体の第１面上に位置するテーパ付きシート部を含み、
前記ハンドル部は、前記第１面上に配置されている、請求項１に記載のストック材料ユニット。
【請求項１０】
前記ストラップから露出された前記テーパ付きシート部に貼り付けられた接合部材をさらに有し、
前記接合部材は、前記ダンネージ変換機に投入された他のストック材料ユニットにおいて接合されたストック材料シートが前記テーパ付きシート部を前記ダンネージ変換機に引き込むのに十分な強度で、前記テーパ付きシート部を前記三次元体上に位置する他方のストック材料ユニットに接合するように構成された接着剤を含む、請求項９に記載のストック材料ユニット。
【請求項１１】
前記ストラップの前記負荷拡散部は、前記三次元体の複数の角の周りに延びるのに十分な長さを有し、少なくとも前記三次元体の前記複数の角において損傷を防止又は低減するために、前記三次元体の重量を前記第１の横方向の幅に広げる、請求項１に記載のストック材料ユニット。
【請求項１２】
ダンネージ変換機のためのストック材料ユニットであって、
前記ストック材料ユニットは、
ストック材料シートで形成された三次元体と、
前記三次元体の周りに巻き付けられたストラップと、を含み、
前記ストラップは、
前記ストラップアセンブリの第１面を画定するベースシートと、
前記三次元体の重量を支えるのに十分な強度を備え、前記ベースシート上に貼り付けられた補強部材と、を含み、
前記ベースシートは、前記補強部材より十分に幅が広く、前記補強部材に関連付けられて貼り付けられていることで、前記補強部材によって支持される前記三次元体の重量を前記ベースシートの幅に広げることで、前記補強部材によって前記三次元体への損傷を防止又は低減し、
前記ストラップの第１端は、反対側の、前記ダンネージを前記ストック材料ユニットの構成に保持するために前記補強部材が前記三次元体の重量を支えるのに十分な強度を備えた前記ストラップの第２端に固定されている、ストック材料ユニット。
【請求項１３】
前記ストラップは、
前記三次元体への損傷を防止又は低減するために、前記三次元体の重量を広げるのに十分な第１の横方向の幅を有する負荷拡散部と、
前記第１の幅よりも小さい第２の幅を有し、ユーザの手で把持可能なサイズのハンドル部と、を有し、
前記負荷拡散部及び前記ハンドル部は、前記ハンドル部で前記三次元体を持ち上げることができるように、協働的に構成されている、請求項１２に記載のストック材料ユニット。
【請求項１４】
前記ストラップは、第１の位置における第１ストラップと、前記三次元体の重心の反対側の第２の位置における第２ストラップとを含む、請求項１３に記載のストック材料ユニット。
【請求項１５】
ダンネージ変換機のためのストック材料ユニットであって、
前記ストック材料ユニットは、
ストック材料シートで形成された三次元体と、
各々が前記三次元体の重量を支えるのに十分な強度を有し、前記三次元体に巻き付けられた複数のストラップアセンブリと、を有し、
前記ストック材料シートは、複数の傾斜した折り目によって画定され、少なくとも前記三次元体の一面に隣接して位置するテーパ付きシート部を含み、
前記テーパ部は、前記複数のストラップアセンブリから露出されている、ストック材料ユニット。
【請求項１６】
ダンネージ変換機のためのストック材料ユニットのアセンブリ方法であって、
ダンネージ変換機によって前記ストック材料シートをダンネージに変換するためにクランピングするように構成された折り畳まれたストック材料シートによって形成された三次元体を提供し、
ストラップを前記三次元体に巻き付けて、
前記三次元体の複数の角の周りに延び、少なくとも前記複数の角で前記三次元体への損傷を防止又は低減するために、前記三次元体の重量を広げるのに十分な第１の横方向の幅を有する前記ストラップの負荷拡散部と、
前記第１の幅よりも小さい第２の幅を有し、ユーザの手で把持可能なサイズのハンドル部と、を配置し、
前記ストラップの両端を互いに貼り合わせて、前記ハンドル部で前記三次元体を持ち上げることができるように、前記三次元体に前記ストラップを固定するアセンブリ方法。
【手続補正２】
【補正対象書類名】明細書
【補正対象項目名】発明の名称
【補正方法】変更
【補正の内容】
【発明の名称】ストック材料ユニット及びそのアセンブリ方法
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
（ａ）ＣＤ５５ペプチド配列、（ｂ）前記ＣＤ５５ペプチド配列のＣ末端側にリンカー配列、（ｃ）前記リンカー配列のＣ末端側に膜貫通ドメイン、及び（ｄ）前記膜貫通ドメインのＣ末端側に細胞内ドメインを含む融合タンパク質であって、ＧＰＩアンカーを含有しない、前記融合タンパク質。
【請求項２】
ＣＤ５５ペプチド配列がヒトＣＤ５５ペプチド配列である、請求項１に記載の融合タンパク質。
【請求項３】
ＣＤ５５ペプチド配列が、ＣＤ５５の４個のショートコンセンサスリピート（ＳＣＲ）を含む、請求項１又は２に記載の融合タンパク質。
【請求項４】
リンカーが（Ｇ４Ｓ１）３リンカーである、請求項１〜３のいずれかに記載の融合タンパク質。
【請求項５】
膜貫通ドメインがＣＤ８膜貫通ドメインである、請求項１〜４のいずれかに記載の融合タンパク質。
【請求項６】
細胞内ドメインが、トランケートしたＣＤ８細胞内ドメインである、請求項１〜５のいずれかに記載の融合タンパク質。
【請求項７】
ＣＤ５５ペプチド配列が、単一のペプチド結合によってリンカー配列と共有結合している、請求項１〜６のいずれかに記載の融合タンパク質。
【請求項８】
ＣＤ５５ペプチド配列が、スペーサーによってリンカー配列と共有結合している、請求項１〜６のいずれかに記載の融合タンパク質。
【請求項９】
リンカー配列が、単一のペプチド結合によって膜貫通ドメインと共有結合している、請求項１〜５のいずれかに記載の融合タンパク質。
【請求項１０】
リンカー配列が、スペーサーによって膜貫通ドメインと共有結合している、請求項１〜５のいずれかに記載の融合タンパク質。
【請求項１１】
膜貫通ドメインが、単一のペプチド結合によって細胞内ドメインと共有結合している、請求項１〜６のいずれかに記載の融合タンパク質。
【請求項１２】
膜貫通ドメインが、スペーサーによって細胞内ドメインと共有結合している、請求項１〜６のいずれかに記載の融合タンパク質。
【請求項１３】
ＣＤ５５ペプチド配列のＮ末端側に、分泌シグナルペプチドをさらに含む、請求項１〜１２のいずれかに記載の融合タンパク質。
【請求項１４】
分泌シグナルペプチドがＣＤ５５の分泌シグナルペプチドである、請求項１３に記載の融合タンパク質。
【請求項１５】
分泌シグナルペプチドが、単一のペプチド結合によってＣＤ５５ペプチド配列と共有結合している、請求項１３又は１４に記載の融合タンパク質。
【請求項１６】
分泌シグナルペプチドが、スペーサーによってＣＤ５５ペプチド配列と共有結合している、請求項１３又は１４に記載の融合タンパク質。
【請求項１７】
配列番号２の配列を有する、請求項１に記載の融合タンパク質。
【請求項１８】
配列番号３の配列を有する、請求項１に記載の融合タンパク質。
【請求項１９】
請求項１〜１８のいずれかに記載の融合タンパク質をコードする核酸。
【請求項２０】
ＤＮＡである、請求項１９に記載の核酸。
【請求項２１】
１又は２以上のイントロンをさらに含む、請求項１９又は２０に記載の核酸。
【請求項２２】
配列番号２の配列を有するタンパク質をコードする、請求項１９〜２１のいずれかに記載の核酸。
【請求項２３】
配列番号１の配列を有する、請求項２２に記載の核酸。
【請求項２４】
制御配列に作動可能に連結された、請求項１９〜２３のいずれかに記載の核酸を含む発現ベクター。
【請求項２５】
請求項１〜１８のいずれかに記載の融合タンパク質を細胞表面に安定に発現する細胞株。
【請求項２６】
哺乳動物細胞株である、請求項２５に記載の細胞株。
【請求項２７】
ＤＦ−１ニワトリ胚線維芽細胞株である、請求項２５に記載の細胞株。
【請求項２８】
請求項１〜１８のいずれかに記載の融合タンパク質をウイルス膜上に組み込んでいるエンベロープウイルス。
【請求項２９】
腫瘍溶解性ウイルスである、請求項２８に記載のウイルス。
【請求項３０】
腫瘍溶解性ウイルスがニューカッスル病ウイルスである、請求項２９に記載のウイルス。
【請求項３１】
請求項２８〜３０のいずれかに記載のウイルスと、薬学的に許容される担体とを含む医薬組成物。
【請求項３２】
請求項２８〜３０のいずれかに記載のウイルスを含む、哺乳動物対象における新生物状態の治療剤。
【請求項３３】
ウイルスが腫瘍内投与用に製剤化された、請求項３２に記載の治療剤。
【請求項３４】
ウイルスが静脈内投与用に製剤化された、請求項３２に記載の治療剤。
【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
互いに対して回転駆動されるように構成されたステータ（１）およびロータ（２）を備え、ロータ（２）が複数の永久磁石（５）を備え、ステータが、さらに、ロータ（２）に向かって延びる極（７）を備える磁気回路（３）を備える電気機械であって、該機械が、各極（７）の周りの導電性要素の巻線（４、５０、５０’）と、導電性要素の内部および／または導電性要素の間に配置された少なくとも１つのヒートシンク（８、８’、８’’）とを備え、ヒートシンクが相変化材料（８２）を備える、電気機械。
【請求項２】
電気機械が、導電性要素の間に配置された１つのヒートシンク（８、８’、８’’）を備え、前記ヒートシンクが略円筒形状を有し、且つ前記ヒートシンクが、前記導電性要素に沿って延在する、請求項１に記載の電気機械。
【請求項３】
巻線が一組の中空円筒形状ワイヤーである、請求項１または２のいずれかに記載の電気機械。
【請求項４】
巻線が中空バー巻線である、請求項１または２のいずれかに記載の電気機械。
【請求項５】
巻線が一体に形成され、好ましくは積層造形法によって得られる、請求項４に記載の電気機械。
【請求項６】
相変化材料が、所定の温度範囲において物理状態を固体状態と液体状態との間で変化させる、請求項１から５のいずれかに記載の電気機械。
【請求項７】
相変化材料（８２）が、電気機械の使用の制約にしたがって適合され、摂氏約１００度を超え、典型的には１００℃および３００℃である、塩の形態、または固液相変化温度を有する有機または共晶化合物の形態である、請求項１から６のいずれかに記載の電気機械。
【請求項８】
ヒートシンクが、相変化材料（８２）に加えて、前記機械内の磁力線の循環を妨げないように導電性である少なくとも１つの要素を備える、請求項１から７のいずれかに記載の電気機械。
【請求項９】
相変化材料（１１）が、密封された金属シェル（８１）に含まれており、シェルが、導電性または非導電性であり、且つ熱伝導性である、請求項１から８のいずれかに記載の電気機械。
【請求項１０】
少なくとも１つのヒートシンク（８、８’、８’’）が、導電性部材の内側に配置され、前記熱伝導体の相変化材料が、密封された金属シェル（８１）に含まれている、請求項９に記載の電気機械。
【請求項１１】
請求項１から１０のいずれかに記載の電気機械を備えるスタータ−ジェネレータ、オルタネータ、ポンプなどの直流または交流の機械。
【請求項１２】
請求項１１に係るスタータ−ジェネレータを備えるヘリコプターなどの航空機用エンジン。
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
アデノ随伴ウイルス（ＡＡＶ）逆位末端リピート（ＩＴＲ）に隣接する、Ｃ９ＯＲＦ７２遺伝子のＧ４Ｃ２リピートの反対側に隣接する標的核酸配列に対して特異的にハイブリダイズする２以上のガイドＲＮＡ（ｇＲＮＡ）をコードする導入遺伝子を含む、単離された核酸。
【請求項２】
２以上のｇＲＮＡが、各々、配列番号１〜４のいずれか１つに示される配列、またはそれらのいずれか１つに相補的な配列を含むまたはからなる、請求項１に記載の単離された核酸。
【請求項３】
導入遺伝子が、配列番号１に示される配列を有する第１のｇＲＮＡおよび配列番号３に示される配列を有する第２のｇＲＮＡをコードする、請求項１または２に記載の単離された核酸。
【請求項４】
導入遺伝子が、配列番号２に示される配列を有する第１のｇＲＮＡおよび配列番号３に示される配列を有する第２のｇＲＮＡをコードする、請求項１または２に記載の単離された核酸。
【請求項５】
ＡＡＶ ＩＴＲが、ＡＡＶ２ ＩＴＲ、ＡＡＶ３ ＩＴＲ、ＡＡＶ４ ＩＴＲ、ＡＡＶ５ ＩＴＲ、ＡＡＶ６ ＩＴＲ、ＡＡＶ７ ＩＴＲ、ＡＡＶ８ ＩＴＲ、またはＡＡＶ９ ＩＴＲである、請求項１〜４のいずれか一項に記載の単離された核酸。
【請求項６】
導入遺伝子がプロモーターを含み、任意に、プロモーターがＣＢプロモーターである、請求項１〜５のいずれか一項に記載の単離された核酸。
【請求項７】
配列番号１〜４のいずれか１つに示される配列、またはそれらのいずれか１つに相補的な配列を有するガイドＲＮＡ（ｇＲＮＡ）をコードする核酸配列を含む、単離された核酸。
【請求項８】
（ｉ）請求項１〜７のいずれか一項に記載の単離された核酸；および
（ｉｉ）少なくとも１のＡＡＶカプシドタンパク質
を含む、組み換えアデノ随伴ウイルス（ｒＡＡＶ）。
【請求項９】
カプシドタンパク質が、ＡＡＶ１、ＡＡＶ２、ＡＡＶ３、ＡＡＶ４、ＡＡＶ５、ＡＡＶ６、ＡＡＶ７、ＡＡＶ８、ＡＡＶ９、または上記のいずれかのバリアントから選択される血清型のものである、請求項８に記載のｒＡＡＶ。
【請求項１０】
カプシドタンパク質が、ＡＡＶ９カプシドタンパク質である、請求項８または９に記載のｒＡＡＶ。
【請求項１１】
請求項８〜１０のいずれか一項に記載のｒＡＡＶ、および組み換え遺伝子編集タンパク質を含む、組成物。
【請求項１２】
組み換え遺伝子編集タンパク質が、ｒＡＡＶベクターによってコードされる、請求項１１に記載の組成物。
【請求項１３】
組み換え遺伝子編集タンパク質が、ＣＲＩＳＰＲ／Ｃａｓタンパク質であり、任意に、Ｃａｓ９タンパク質である、請求項１１または１２に記載の組成物。
【請求項１４】
（ｉ）Ｃ９ＯＲＦ７２遺伝子のＧ４Ｃ２リピートの反対側に隣接する標的核酸配列に対して特異的にハイブリダイズする２以上のガイドＲＮＡ（ｇＲＮＡ）；および
（ｉｉ）２以上のｇＲＮＡと相互作用する組み換え遺伝子編集タンパク質
を発現する、哺乳動物の細胞。
【請求項１５】
組み換え遺伝子編集タンパク質がＣＲＩＳＰＲ／Ｃａｓタンパク質である、請求項１４に記載の哺乳動物の細胞。
【請求項１６】
組み換え遺伝子編集タンパク質が、Ｃａｓ９、Ｃａｓ６、およびＣｐｆ１から選択されるＣａｓタンパク質である、請求項１４または１５に記載の哺乳動物の細胞。
【請求項１７】
ｇＲＮＡの各々が、配列番号１〜４のいずれか１つに示される配列、またはそれらのいずれか１つに相補的な配列を含む、請求項１４〜１６のいずれか一項に記載の哺乳動物の細胞。
【請求項１８】
細胞が、Ｃ９ＯＲＦ７２遺伝子のＧ４Ｃ２リピートの反対側に隣接する標的核酸配列に対して特異的に各々ハイブリダイズする、２、３、または４のｇＲＮＡを発現する、請求項１４〜１７のいずれか一項に記載の哺乳動物の細胞。
【請求項１９】
配列番号１に示される配列を有する第１のｇＲＮＡおよび配列番号３に示される配列を有する第２のｇＲＮＡを発現する、請求項１４〜１８のいずれか一項に記載の哺乳動物の細胞。
【請求項２０】
配列番号２に示される配列を有する第１のｇＲＮＡおよび配列番号３に示される配列を有する第２のｇＲＮＡを発現する、請求項１４〜１８のいずれか一項に記載の哺乳動物の細胞。
【請求項２１】
（ｉ）組み換え遺伝子編集タンパク質；および
（ｉｉ）Ｃ９ＯＲＦ７２遺伝子のＧ４Ｃ２リピートの反対側に隣接する標的核酸配列に対して特異的にハイブリダイズする２以上のガイドＲＮＡ（ｇＲＮＡ）
を細胞へ送達することを含む、方法。
【請求項２２】
ｇＲＮＡが、配列番号１〜４から選択される配列またはそれらのいずれか１つに相補的な配列を含む、請求項２１に記載の方法または複合体。
【請求項２３】
（ｉ）Ｃ９ＯＲＦ７２遺伝子のエキソン領域に対して特異的にハイブリダイズするガイドＲＮＡ（ｇＲＮＡ）；および
（ｉｉ）ｇＲＮＡと相互作用する組み換え遺伝子編集タンパク質
を発現する、哺乳動物の細胞。
【請求項２４】
細胞においてＣ９ＯＲＦ７２遺伝子のエキソン領域に対して特異的にハイブリダイズするガイドＲＮＡ（ｇＲＮＡ）およびｇＲＮＡと相互作用する組み換え遺伝子編集タンパク質を含む組み換え遺伝子編集複合体を発現させることを含む、細胞においてＲＮＡフォーカスおよび／またはジペプチド形成を低減する方法であって、
組み換え遺伝子編集複合体の細胞への送達が、前記遺伝子から転写されたＣ９ｏｒｆ７２転写産物のナンセンス変異依存分解につながるＣ９ＯＲＦ７２遺伝子における挿入または欠失をもたらす、前記方法。
【請求項２５】
（ｉ）Ｃ９ＯＲＦ７２遺伝子の１以上のエキソン領域に対して特異的にハイブリダイズするガイドＲＮＡ（ｇＲＮＡ）；および
（ｉｉ）ｇＲＮＡと相互作用する組み換え遺伝子編集タンパク質
を細胞へ送達することを含む、方法。
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
融合ポリペプチドであって、
副甲状腺ホルモンまたはその生物学的活性断片もしくはアナログのアミノ酸配列を含むポリペプチドと、
成長ホルモン受容体の成長ホルモン結合ドメインまたはその断片もしくはアナログのアミノ酸配列を含むポリペプチドとを含み、前記副甲状腺ホルモンまたはその生物学的活性断片もしくはアナログが、翻訳融合体として、直接的または間接的に、前記成長ホルモン受容体の成長ホルモン結合ドメインに連結している、前記融合ポリペプチド。
【請求項２】
前記融合ポリペプチドが、配列番号１０に記載のアミノ酸配列を含むまたはそれからなる副甲状腺ホルモンを含むか、または、前記融合ポリペプチドが、アミノ酸１−２８、１−２９、１−３０、１−３１、１−３２、１−３３、１−３４、または１−３５を含む配列番号１０の断片を含む、請求項１に記載の融合ポリペプチド。
【請求項３】
前記融合ポリペプチドが、配列番号９に記載の配列を含む副甲状腺ホルモンを含むか、または、前記融合ポリペプチドが、アミノ酸１−２８、１−２９、１−３０、１−３１、１−３２、１−３３、１−３４、または１−３５を含む配列番号９の断片を含む、請求項１に記載の融合ポリペプチド。
【請求項４】
前記融合ポリペプチドが、配列番号５４に記載のアミノ酸配列を含むまたはそれからなる副甲状腺ホルモンを含む、請求項３に記載の融合ポリペプチド。
【請求項５】
前記融合ポリペプチドが、下記式（Ｉ）：
Ｘａａ０１−Ｖａｌ−Ｘａａ０３−Ｇｌｕ−Ｉｌｅ−Ｇｌｎ−Ｌｅｕ−Ｘａａ０８−Ｈｉｓ−Ｘａａ１０−Ｘａａ１１−Ｘａａ１２−Ｘａａ１３−Ｘａａ１４−Ｌｅｕ−Ｘａａ１６−Ｘａａ１７−Ｘａａ１８−Ａｒｇ−Ａｒｇ−Ａｒｇ−Ｘａａ２２−Ｐｈｅ−Ｌｅｕ−Ｘａａ２５−Ｘａａ２６−Ｌｅｕ−Ｉｌｅ−Ａｌａ−Ｇｌｕ−Ｉｌｅ−Ｈｉｓ−Ｔｈｒ−Ａｌａ−Ｇｌｕ−Ｉｌｅ（配列番号８）（Ｉ）
（式中、Ｘａａ０１は、ＳｅｒまたはＡｌａであり、Ｘａａ０３は、ＳｅｒまたはＡｌａであり、Ｘａａ０８は、ＭｅｔまたはＬｅｕであり、Ｘａａ１０は、Ａｓｎ、Ａｌａ、Ｖａｌ、Ａｓｐ、Ｇｌｕ、またはＧｌｎであり、Ｘａａ１１は、Ｌｅｕ、Ａｌａ、Ｖａｌ、Ｍｅｔ、Ｌｙｓ、Ａｒｇ、またはＴｒｐであり、Ｘａａ１２は、Ｇｌｙ、Ａｌａ、Ｈｉｓ、またはＡｒｇであり、Ｘａａ１３は、Ｌｙｓ、Ａｌａ、Ｌｅｕ、Ｇｌｎ、Ａｒｇ、Ｈｉｓ、またはＴｒｐであり、Ｘａａ１４は、Ｈｉｓ、Ｌｅｕ、Ａｒｇ、Ｐｈｅ、Ｔｒｐ、またはＳｅｒであり、Ｘａａ１６は、ＧｌｎまたはＡｓｎであり、Ｘａａ１７は、ＡｓｐまたはＳｅｒであり、Ｘａａ１８は、Ａｌａ、Ｌｅｕ、Ｍｅｔ、Ｇｌｕ、Ｓｅｒ、またはＰｈｅであり、Ｘａａ２２は、Ａｌａ、Ｐｈｅ、Ｇｌｕ、Ｓｅｒ、Ｌｅｕ、Ａｓｎ、Ｔｒｐ、またはＬｙｓであり、Ｘａａ２５は、Ｈｉｓ、Ａｒｇ、Ｌｅｕ、Ｔｒｐ、またはＬｙｓであり、Ｘａａ２６は、Ｌｙｓ、Ｈｉｓ、Ａｌａ、Ｓｅｒ、Ａｓｎ、またはＡｒｇである）
のアミノ酸配列を含むもしくはそれからなる副甲状腺ホルモンアナログ、またはＸａａ１８のうちの少なくとも１つがＬｅｕでもＭｅｔでもなく、Ｘａａ２２がＰｈｅではなく、Ｘａａ２６がＨｉｓではないことを条件に、式（Ｉ）のアミノ酸１−２８、１−２９、１−３０、１−３１、１−３２、１−３３、１−３４、もしくは１−３５を含むその断片、
を含む、請求項１または２に記載の融合ポリペプチド。
【請求項６】
前記融合ポリペプチドが、副甲状腺ホルモンと、配列番号３７に記載のアミノ酸配列を含むまたはそれからなる副甲状腺ホルモンアナログアミノ酸配列とを含む、請求項１または２に記載の融合ポリペプチド。
【請求項７】
前記融合ポリペプチドが、配列番号４０に記載のアミノ酸配列を含む副甲状腺ホルモン関連タンパク質またはその生物学的活性断片もしくはアナログを含む、請求項１から３のいずれか１項に記載の融合ポリペプチド。
【請求項８】
前記融合ポリペプチドが、ヒト成長ホルモン受容体の細胞外成長ホルモン結合ドメインポリペプチド、例えば、配列番号５に記載のアミノ酸配列から構成される細胞外成長ホルモン結合ドメインポリペプチドを含む、請求項１から７のいずれかに記載の融合ポリペプチド。
【請求項９】
前記融合ポリペプチドが、修飾された細胞外成長ホルモン結合ドメインポリペプチドを含み、前記修飾が、配列番号５に記載のＷ１６９、Ｒ４３、Ｅ４４、Ｉ１０３、Ｗ１０４、Ｉ１０５、Ｐ１０６、Ｉ１６４、及びＤ１６５からなる群より選択されるアミノ酸残基のうちの少なくとも１つのアミノ酸残基の付加、欠失、または置換によるものであり、前記修飾されたポリペプチドが、成長ホルモン結合活性を実質的に欠いているか、成長ホルモン結合活性が低減している、請求項８または９に記載の融合ポリペプチド。
【請求項１０】
前記融合ポリペプチドが、配列番号８のアミノ酸残基１−２８、１−２９、１−３０、１−３１、１−３２、１−３３、１−３４、または１−３５を含むまたはそれからなる副甲状腺ホルモン断片を含むまたはそれからなるか、あるいは、前記融合ポリペプチドが、配列番号５４に記載のアミノ酸配列を含むまたはそれからなり、前記副甲状腺ホルモンアミノ酸配列が、少なくとも１つのアミノ酸残基の付加、欠失、または置換によって修飾され、前記修飾された融合ポリペプチドが、副甲状腺ホルモン活性を保持する、請求項１から９のいずれか１項に記載の融合ポリペプチド。
【請求項１１】
前記融合ポリペプチドが、成長ホルモン結合ドメインポリペプチドを含み、前記成長ホルモン結合ドメインポリペプチドが、前記融合ポリペプチドのカルボキシルもしくはアミノ末端端部に位置する、請求項１から１０のいずれか１項に記載の融合ポリペプチド。
【請求項１２】
前記融合ポリペプチドが、配列番号２０、２７、２８、３３、または３４に記載のアミノ酸配列を含むまたはそれからなる、請求項１に記載の融合ポリペプチド。
【請求項１３】
前記融合ポリペプチドが、プロペプチド、および／またはペプチド分泌シグナルを含む、請求項１から１２のいずれか１項に記載の融合ポリペプチド。
【請求項１４】
請求項１から１３のいずれか１項に記載の融合ポリペプチドをコードする核酸分子もしくは該核酸分子を含むベクター。
【請求項１５】
請求項１４に記載の核酸分子またはベクターを用いてトランスフェクションまたは形質転換された、単離細胞。
【請求項１６】
賦形剤または担体を含む請求項１から１３のいずれか１項に記載の融合ポリペプチドを含む、薬学的組成物。
【請求項１７】
対象における副甲状腺機能低下症の処置における使用のための、請求項１から１３のいずれか１項に記載の融合ポリペプチド。
【請求項１８】
ヒト対象における骨粗しょう症の処置における使用のための、請求項１から１３のいずれか１項に記載の融合ポリペプチド。